(57)【要約】【課題】処理装置の使用権限を認証された者が当該処理装置で予め定められた処理の実行を行っているときに、当該処理装置の使用権限を有しない他の者が当該処理装置を使用できないようにする。【解決手段】様々なパラメータを選択し、スタートボタンを押下すると（ステップＳ５のＹ）、ユーザが選択した内容での処理実行要求が登録される（ステップＳ６）。このように登録された処理実行要求は画像処理装置で順次処理される。このように、処理実行要求が登録されると（ステップＳ６）、ログイン／ログアウトボタンが操作されたときは（ステップＳ７のＹ）、新たなユーザ認証がなされないままの操作パネルの操作を禁止する（ステップＳ８）。【選択図】図２
2010069667.tif 000002
【特許請求の範囲】
【請求項１】
予め定められた処理を実行する実行手段と、
前記処理の実行を要求する権限があることを認証する認証手段と、
前記認証がなされたときは前記処理の実行を要求する操作を受け付ける受付手段と、
前記受付手段により前記処理の実行の要求を受け付けたときは前記実行手段による前記処理の実行を開始する実行開始手段と、
前記処理の実行の要求を受け付けたときは新たに前記認証がなされるまで前記処理の実行の操作受付けを禁止する禁止手段と、
を備えている処理装置。
【請求項２】
予め定められた処理を実行する実行手段と、
前記処理の実行を要求する権限があることを認証する認証装置で前記認証がなされたときは前記処理の実行を要求する操作を受け付ける受付手段と、
前記受付手段により前記処理の実行の要求を受け付けたときは前記実行手段による前記処理の実行を開始する実行開始手段と、
前記処理の実行の要求を受け付けたときは新たに前記認証がなされるまで前記処理の実行の操作受付けを禁止する禁止手段と、
を備えている処理装置。
【請求項３】
前記禁止手段は、前記操作装置の操作により前記処理の実行の要求がされたときは前記操作装置で予め定められた操作がなされたことを条件に前記認証装置で新たに認証がなされるまで前記操作装置による前記処理の実行の操作受付けを禁止する、請求項１又は２に記載の処理装置。
【請求項４】
前記禁止手段は、前記操作装置の操作により前記処理の実行の要求がされたときは予め定められた時間が経過したことを条件に前記認証装置で新たに認証がなされるまで前記操作装置による前記処理の実行の操作受付けを禁止する、請求項１又は２に記載の処理装置。
【請求項５】
前記禁止手段で前記操作装置による前記処理の実行の操作受付けを禁止しているときに前記処理実行装置による前記処理の実行状況を報知する報知手段をさらに備えている、請求項１〜４のいずれかの一項に記載の処理装置。
【請求項６】
前記処理の実行中に前記処理実行に関する不具合が発生したときは前記不具合を解消する操作を前記操作装置で受け付ける受付手段をさらに備えている、請求項１〜５のいずれかの一項に記載の処理装置。
【請求項７】
予め定められた処理を実行する実行手段と、
前記処理の実行を要求する権限があることを認証する認証手段と、
前記認証がなされたときは前記処理の実行を要求する操作を受け付ける受付手段と、
前記受付手段により前記処理の実行の要求を受け付けたときは前記実行手段による前記処理の実行を開始する実行開始手段と、
前記処理の実行の要求を受け付けたときは新たに前記認証がなされたことを条件に前記処理の実行の操作受付けを許可する許可手段と、
を備えている処理装置。
【請求項８】
複数台の処理装置と、
前記各処理装置間の通信を行う通信手段と、
を備え、
前記各処理装置は、
予め定められた処理を実行する実行手段と、
前記処理の実行を要求する権限があることを認証する認証手段と、
前記認証がなされたときは前記処理の実行を要求する操作を受け付ける受付手段と、
前記受付手段により前記処理の実行の要求を受け付けたときは前記実行手段による前記処理の実行を開始する第１の実行開始手段と、
前記処理の実行の要求を受け付けたときは新たに前記認証がなされるまで前記処理の実行の操作受付けを禁止する禁止手段と、
他の処理装置から前記処理の実行の要求があったときは前記認証を行うことなく前記処理の実行の開始を指示する第２の実行開始手段と、
を備えている、
処理システム。
【請求項９】
前記処理の実行を要求する権限があることを認証する認証手段で前記認証がなされて、予め定められた処理を実行する実行手段による前記処理の実行を要求する操作を受け付ける受付手段により前記処理の実行の要求を受け付けたときは、前記実行手段による前記処理の実行を開始する実行開始手段と、
前記処理の実行の要求を受け付けたときは新たに前記認証がなされるまで前記処理の実行の操作受付けを禁止する禁止手段と、
をコンピュータに実行させる処理制御プログラム。
【請求項１０】
予め定められた処理を実行する実行手段で前記処理の実行を要求する権限があることを認証する認証手段から認証が成功したことを取得する取得手段と、
前記認証が成功したことを取得するとログインモードに変更する変更手段と、
前記ログインモードでユーザからの入力を受け付ける受付手段と、
前記受付手段からスタートボタンが操作されると前記処理装置に処理の実行を指示する指示手段と、
前記実行の指示がなされると前記受付手段による受付を禁止する禁止手段と、
を備えている操作装置。
【発明の詳細な説明】
【技術分野】
【０００１】
本発明は、処理装置、処理システム、処理制御プログラム及び操作装置に関する。
【背景技術】
【０００２】
複写機、プリンタ等を使用する権限を有する者をログイン認証し、認証された者だけが当該複写機、プリンタ等を使用することができるようにした技術が知られている。
【特許文献１】特開２００６‐１５３９８１号公報
【特許文献２】特開２００６‐３３８２１２号公報
【特許文献３】特開２００５‐１４１３１３号公報
【発明の開示】
【発明が解決しようとする課題】
【０００３】
本発明の目的は、処理装置の使用権限を認証された者が当該処理装置で予め定められた処理の実行を行っているときに、当該処理装置の使用権限を有しない他の者が当該処理装置を使用できないようにすることである。
【課題を解決するための手段】
【０００４】
請求項１に記載の発明は、予め定められた処理を実行する実行手段と、前記処理の実行を要求する権限があることを認証する認証手段と、前記認証がなされたときは前記処理の実行を要求する操作を受け付ける受付手段と、前記受付手段により前記処理の実行の要求を受け付けたときは前記実行手段による前記処理の実行を開始する実行開始手段と、前記処理の実行の要求を受け付けたときは新たに前記認証がなされるまで前記処理の実行の操作受付けを禁止する禁止手段と、を備えている処理装置である。
【０００５】
請求項２に記載の発明は、予め定められた処理を実行する実行手段と、前記処理の実行を要求する権限があることを認証する認証装置で前記認証がなされたときは前記処理の実行を要求する操作を受け付ける受付手段と、前記受付手段により前記処理の実行の要求を受け付けたときは前記実行手段による前記処理の実行を開始する実行開始手段と、前記処理の実行の要求を受け付けたときは新たに前記認証がなされるまで前記処理の実行の操作受付けを禁止する禁止手段と、を備えている処理装置である。
【０００６】
請求項３に記載の発明は、請求項１又は２に記載の処理装置において、前記禁止手段は、前記操作装置の操作により前記処理の実行の要求がされたときは前記操作装置で予め定められた操作がなされたことを条件に前記認証装置で新たに認証がなされるまで前記操作装置による前記処理の実行の操作受付けを禁止する。
【０００７】
請求項４に記載の発明は、請求項１又は２に記載の処理装置において、前記禁止手段は、前記操作装置の操作により前記処理の実行の要求がされたときは予め定められた時間が経過したことを条件に前記認証装置で新たに認証がなされるまで前記操作装置による前記処理の実行の操作受付けを禁止する。
【０００８】
請求項５に記載の発明は、請求項１〜４のいずれかの一項に記載の処理装置において、前記禁止手段で前記操作装置による前記処理の実行の操作受付けを禁止しているときに前記処理実行装置による前記処理の実行状況を報知する報知手段をさらに備えている。
【０００９】
請求項６に記載の発明は、請求項１〜５のいずれかの一項に記載の処理装置において、前記処理の実行中に前記処理実行に関する不具合が発生したときは前記不具合を解消する操作を前記操作装置で受け付ける受付手段をさらに備えている。
【００１０】
請求項７に記載の発明は、予め定められた処理を実行する実行手段と、前記処理の実行を要求する権限があることを認証する認証手段と、前記認証がなされたときは前記処理の実行を要求する操作を受け付ける受付手段と、前記受付手段により前記処理の実行の要求を受け付けたときは前記実行手段による前記処理の実行を開始する実行開始手段と、前記処理の実行の要求を受け付けたときは新たに前記認証がなされたことを条件に前記処理の実行の操作受付けを許可する許可手段と、を備えている処理装置である。
【００１１】
請求項８に記載の発明は、複数台の処理装置と、前記各処理装置間の通信を行う通信手段と、を備え、前記各処理装置は、予め定められた処理を実行する実行手段と、前記処理の実行を要求する権限があることを認証する認証手段と、前記認証がなされたときは前記処理の実行を要求する操作を受け付ける受付手段と、前記受付手段により前記処理の実行の要求を受け付けたときは前記実行手段による前記処理の実行を開始する第１の実行開始手段と、前記処理の実行の要求を受け付けたときは新たに前記認証がなされるまで前記処理の実行の操作受付けを禁止する禁止手段と、他の処理装置から前記処理の実行の要求があったときは前記認証を行うことなく前記処理の実行の開始を指示する第２の実行開始手段と、を備えている、処理システムである。
【００１２】
請求項９に記載の発明は、前記処理の実行を要求する権限があることを認証する認証手段で前記認証がなされて、予め定められた処理を実行する実行手段による前記処理の実行を要求する操作を受け付ける受付手段により前記処理の実行の要求を受け付けたときは、前記実行手段による前記処理の実行を開始する実行開始手段と、前記処理の実行の要求を受け付けたときは新たに前記認証がなされるまで前記処理の実行の操作受付けを禁止する禁止手段と、
をコンピュータに実行させる処理制御プログラムである。
【００１３】
請求項１０に記載の発明は、予め定められた処理を実行する実行手段で前記処理の実行を要求する権限があることを認証する認証手段から認証が成功したことを取得する取得手段と、前記認証が成功したことを取得するとログインモードに変更する変更手段と、前記ログインモードでユーザからの入力を受け付ける受付手段と、前記受付手段からスタートボタンが操作されると前記処理装置に処理の実行を指示する指示手段と、前記実行の指示がなされると前記受付手段による受付を禁止する禁止手段と、を備えている操作装置である。
【発明の効果】
【００１４】
請求項１に記載の発明によれば、処理手段の使用権限を認証された者が処理手段で予め定められた処理の実行を行っているときに、処理手段の使用権限を有しない他の者が処理手段で予め定められた処理を実行することができないようにすることができる。
【００１５】
請求項２に記載の発明によれば、処理手段の使用権限を認証された者が処理手段で予め定められた処理の実行を行っているときに、処理手段の使用権限を有しない他の者が処理手段で予め定められた処理を実行することができないようにすることができる。
【００１６】
請求項３に記載の発明によれば、処理手段の使用権限を認証された者が処理手段で予め定められた処理の実行を指示した後、予め定められた操作を行えば、処理手段の使用権限を有しない他の者が処理手段で予め定められた処理を実行することができないようにすることができる。
【００１７】
請求項４に記載の発明によれば、処理手段の使用権限を認証された者が処理手段で予め定められた処理の実行を指示した後、予め定められた時間が経過すれば、処理手段の使用権限を有しない他の者が処理手段で予め定められた処理を実行することができないようにすることができる。
【００１８】
請求項５に記載の発明によれば、処理手段の使用権限を認証された者が処理手段で予め定められた処理の実行を指示したときは、操作手段による処理の実行の操作受付けを禁止していても、自らが指示した処理の実行状況を知ることができる。
【００１９】
請求項６に記載の発明によれば、操作手段による処理の実行の操作受付けを禁止していても、実行中の処理に関して処理実行に関する不具合が発生したときは不具合を解消する操作を操作手段で行うことができる。
【００２０】
請求項７に記載の発明によれば、処理手段の使用権限を認証された者が処理手段で予め定められた処理の実行を行っているときに、処理手段の使用権限を有しない他の者が処理手段で予め定められた処理を実行することができないようにすることができる。
【００２１】
請求項８に記載の発明によれば、使用権限を認証された者の処理の実行指示によって他の処理装置から処理の実行の要求を受け付けた処理装置は、使用権限を認証することなく受け付けた処理の実行の要求を処理することができる。
【００２２】
請求項９に記載の発明によれば、処理手段の使用権限を認証された者が処理手段で予め定められた処理の実行を行っているときに、処理手段の使用権限を有しない他の者が処理手段で予め定められた処理を実行することができないようにすることができる。
【００２３】
請求項１０に記載の発明によれば、処理手段の使用権限を認証された者が処理手段で予め定められた処理の実行を行っているときに、処理手段の使用権限を有しない他の者が処理手段で予め定められた処理を実行することができないようにすることができる。
【発明を実施するための最良の形態】
【００２４】
以下、本発明の実施の形態について図面を参照しつつ説明する。
【００２５】
まず、実施の形態１について説明する。
【００２６】
図１は、本実施の形態の画像処理装置２の電気的な接続のブロック図である。
【００２７】
画像処理装置２は、各種演算を行い、各部を集中的に制御するＣＰＵ１１と、ＣＰＵ１１が実行する処理制御プログラム１２や各種固定データが格納されたＲＯＭ１３と、ＣＰＵ１１の作業エリアとなるＲＡＭ１４とを有している主制御装置１５を備えている。
【００２８】
主制御装置１５には、予め定められた処理を行う各手段、この例では、原稿の画像を読み取る画像読取装置２１と、用紙などの印刷媒体の上に画像を形成する処理を行う画像形成装置２２と、公衆電話網２３を介してファクシミリデータの送受信を行うファクシミリ制御装置２４とが接続されている。これにより、画像処理装置２は、複写、プリント、ファクシミリ送受信、スキャンなどの各種の処理を行うことができる。画像形成装置２２は、電子写真方式のほか、インクジェット方式、銀塩写真方式、昇華型熱転写方式、溶融型熱転写方式、直接感熱記録方式など様々な方式を適用することができる。
【００２９】
また、主制御装置１５には、タッチパネルや各種操作ボタンを有していて、ユーザから各種の操作を受け付け、また、ユーザに各種のメッセージを表示する操作パネル３１と、各種データ等を記憶する磁気記憶装置３２と、ネットワーク５を介して他の装置と通信を行う通信インターフェイス（Ｉ／Ｆ）３３と、画像データを記憶する画像メモリ３４と、ＩＣカード３５を読み取るＩＣカードリーダ３６とが接続されている。
【００３０】
なお、処理制御プログラム１２は当初からＲＯＭ１３に格納されていても良いが、処理制御プログラム１２を搬送波の形態でネットワーク５を介して画像処理装置２に送信し、この送信されたプログラム１２を磁気記憶装置３２などにセットアップするようにしてもよい。あるいは、プログラム１２をＣＤ，ＤＶＤ，ＭＯなどの記憶媒体に格納した状態で提供し、これらの記憶媒体を読み取る読取装置によって読み取り、この読み取ったプログラム１２を磁気記憶装置３２などにセットアップするようにしてもよい。
【００３１】
図２は、画像処理装置２が実行する処理を説明するフローチャートである。
【００３２】
まず、主制御装置１５（のＣＰＵ１１）は、操作パネル３１のタッチパネルにはユーザが画像処理装置２にログインするためのログイン画面を表示する（ステップＳ１）（図示せず）。ここで、ユーザは画像処理装置２の使用権限があることの認証を受ける（ステップＳ２）。この例では、ユーザが自己のＩＣカード３５をＩＣカードリーダ３６に読み取らせ、操作パネル３１のログイン／ログアウトボタン４１を操作すると（図３参照）、このＩＣカード３５に記録されているＩＤ番号とパスワードを予め磁気記憶装置３２などに登録されているＩＤ番号及びパスワードと照合し、両者が一致したときには使用権限があると認証する。もちろん、指紋認証、虹彩認証、手のひら認証等の生体認証など、他の手段で認証を行ってもよい。
【００３３】
この認証に失敗したときは（ステップＳ２のＮ）、再度ログインするように要求するメッセージを表示して（ステップＳ３）、ステップＳ１に戻る。
【００３４】
認証に成功したときは（ステップＳ２のＹ）、ユーザは画像処理装置２にログインすることができ、操作パネル３１の操作を行うことを許可する（ステップＳ４）。このときに、操作パネル３１のタッチパネルには図３のような画面が表示される。そして、ユーザは操作パネル３１を操作して、ボタン４２〜４７などにより様々なパラメータを選択し、ボタン４８，４９によりコピー、ファックスなど画像処理装置２で行うことができる処理のうち実行したいものを選択することができる。ユーザがこれらの選択を行い、スタートボタン５０を押下すると（ステップＳ５のＹ）、ユーザが選択した内容での処理実行要求が登録される（ステップＳ６）。このように登録された処理実行要求は画像処理装置２で順次処理される。よって、先行する処理実行要求が処理済みであればステップＳ６で登録された処理実行要求も処理され、コピー、ファックスなどの処理が行われる。
【００３５】
このように、処理実行要求が登録されると（ステップＳ６）、ログイン／ログアウトボタン４１が操作されたときは（ステップＳ７のＹ）、新たなユーザ認証がなされないままの操作パネル３１の操作を禁止する（ステップＳ８）。そして、操作パネル３１のタッチパネルには処理実行要求の処理中である旨のメッセージが表示される（ステップＳ９）。
【００３６】
よって、ユーザがログイン／ログアウトボタン４１を操作して以後は、操作パネル３１を操作して画像処理装置２を使用しようとしても使用することはできなくなる。
【００３７】
また、処理実行要求の処理中に状態表示ボタン５１が操作されると（ステップＳ１０のＹ）、登録されている処理実行要求について、操作パネル３１のタッチパネルに図４に示すような処理の実行状況を報知するメッセージ（この例では実行中）が表示される（ステップＳ１１）。
【００３８】
よって、ステップＳ８で操作パネル３１の操作を禁止していても、処理実行要求についての実行状況を知ることはできる。
【００３９】
さらに、ジャム（画像形成装置２２で印刷に使用する用紙が搬送経路中で詰まってしまい、画像形成が行えなくなること）の発生など、処理実行に関する不具合が発生して処理実行要求の処理が停止したときには（ステップＳ１２のＹ）、その不具合の内容と当該不具合への対処手順のメッセージを操作パネル３１のタッチパネルに表示して報知し（ステップＳ１３）、ユーザが当該不具合に対処して再開ボタン５２（図５参照）を操作すると（ステップＳ１４）、処理実行要求の処理を再開して（ステップＳ１５）、ステップＳ８に戻る。
【００４０】
よって、ステップＳ８で操作パネル３１の操作を禁止していても、処理実行に関する不具合の解消にかかる操作を行うことはできる。
【００４１】
処理実行要求が終了すると（ステップＳ１６のＹ）、登録されている処理実行要求について、操作パネル３１のタッチパネルに図４に示すような処理の実行状況を報知するメッセージ（この例では実行終了）が表示され（ステップＳ１７）、ステップＳ１に戻る。
【００４２】
よって、ステップＳ８で操作パネル３１の操作を禁止していても、処理実行要求についての実行状況を知ることはできる。
【００４３】
また、図２の処理に代えて図６の処理を行っても良い。図６の処理が図２の処理と異なるのは、ログイン／ログアウトボタン４１が操作されたとき（ステップＳ７のＹ）ではなく、予め定められた時間が経過したときに（ステップＳ１７）、新たなユーザ認証がなされないままの操作パネル３１の操作を禁止するようにしている点である（ステップＳ８）。
【００４４】
よって、ユーザの操作なしに予め定められた時間が経過すれば、操作パネル３１を操作して画像処理装置２を使用しようとしても使用することはできなくなる。
【００４５】
次に、実施の形態２について説明する。
【００４６】
図７は、本実施の形態の画像処理システム１の全体構成を示すブロック図である。
【００４７】
この画像処理システム１は、複数台の画像処理装置２が通信手段（ネットワーク）６１を介して接続されている。各画像処理装置２の構成は図１を参照して前述したとおりであり、詳細な説明は省略する。
【００４８】
この画像処理システム１は、複数台の画像処理装置２のうちの１台（符号２ａ）はサーバとして機能し、他の画像処理装置２（符号２ｂ）はクライアントして機能する。このサーバ２ａ、クライアント２ｂとなる各画像処理装置２は、必要な情報、例えばユーザの認証に使用するＩＤ番号やパスワードの情報などを共有している。そして、クライアント２ｂが処理できないがサーバ２ａが処理できる処理については、その処理をサーバ２ａに依頼する。
【００４９】
図８、図９は、画像処理システム１が実行する処理のフローチャートである。
【００５０】
この処理は、クライアント２ｂとなる画像処理装置２で処理実行要求がなされる場合のものである。クライアント２ｂとなる画像処理装置２において、ステップＳ１〜Ｓ５までの処理は実施の形態１と共通するため、詳細な説明は省略する。ユーザがスタートボタン５０を押下すると（ステップＳ５のＹ）、ユーザが実行を選択した処理は自機（クライアント２ｂとなる画像処理装置２）で処理できるか否かを判断する（ステップＳ２１）。この例では、白黒のコピーはクライアント２ｂで行うことができるが、カラーのコピーやファクシミリはサーバ２ａに行わせることとしている。
【００５１】
ユーザが実行を選択した処理を自機で処理できるときは（ステップＳ２１のＹ）、ステップＳ６〜Ｓ１６の処理を行う。かかる処理は実施の形態１と共通するため、詳細な説明は省略する。
【００５２】
ユーザが実行を選択した処理を自機で処理できないときは（ステップＳ２１のＮ）、サーバ２ａに対して当該処理のリクエストを行う（ステップＳ２２）。
【００５３】
サーバ２ａでは、操作パネル３１のタッチパネルにはユーザが画像処理装置２にログインするためのログイン画面を表示している（ステップＳ３１）（図示せず）。そして、クライアント２ｂから処理のリクエストがあったときは（ステップＳ３２のＹ）、ユーザが選択した内容での処理実行要求が登録されて（ステップＳ６）、ステップＳ４６〜Ｓ５６の処理を行う。このステップＳ４６〜Ｓ５６はステップＳ６〜Ｓ１６と同様の処理であるため、詳細な説明は省略する。
【００５４】
処理の実行状況を報知するメッセージ（この例では実行中）が表示されたときは（ステップＳ１１）、当該処理の実行状況をクライアント２ｂに通知する（ステップＳ３３）。また、処理実行に関する不具合が発生して処理実行要求の処理が停止して（ステップＳ１２のＹ）、その不具合の内容と当該不具合への対処手順のメッセージを操作パネル３１のタッチパネルに表示して報知したときは（ステップＳ１３）、不具合の発生をクライアント２ｂに通知する（ステップＳ３４）。さらに、処理実行要求を再開したときも（ステップＳ１５）、処理実行要求の再開をクライアント２ｂに通知する（ステップＳ３５）。さらに、処理実行要求が終了し（ステップＳ５６のＹ）、メッセージ（この例では実行終了）が表示されると（ステップＳ５７）、処理の終了をクライアント２ｂに通知する（ステップＳ４２）。
【００５５】
ユーザが実行を選択した処理を自機で処理できず（ステップＳ２１のＮ）、サーバ２ａに対して当該処理のリクエストを行なったときは（ステップＳ２２）、クライアント２ｂにおいては、ログイン／ログアウトボタン４１が操作されたときに（ステップＳ３６のＹ）、新たなユーザ認証がなされないままの操作パネル３１の操作を禁止する（ステップＳ３７）。そして、サーバ２ａから通知（ステップＳ３３〜Ｓ３５）を受けたときは（ステップＳ３８）、当該通知内容を操作パネル３１のタッチパネルに表示して報知する（ステップＳ３９）。
【００５６】
そして、処理の終了の通知（ステップＳ３６）を受けると（ステップＳ４０のＹ）、当該処理実行要求が終了した旨のメッセージを操作パネル３１のタッチパネルに表示する（ステップＳ４１）。
【００５７】
図１０は、この処理において、ステップＳ４８でサーバ２ａの操作パネル３１のタッチパネルに表示されるメッセージの例であり、図１１は、ステップＳ１１で操作パネル３１のクライアント２ｂのタッチパネルに表示されるメッセージの例である。
【００５８】
このような画像処理システム１においては、クライアント２ｂでユーザが認証を受けてログインすれば、処理をサーバ２ａに代行させるときは、ユーザはサーバ２ａでさらに認証を受ける必要はなくなる。
【００５９】
なお、実施の形態２においても、図３の例のように、ログイン／ログアウトボタン４１が操作されたとき（ステップＳ７のＹ）ではなく、予め定められた時間が経過したときに（ステップＳ１７）、新たなユーザ認証がなされないままの操作パネル３１の操作を禁止するようにしてもよい。
【００６０】
以上説明した例では、本発明の処理装置、処理システムの例として画像処理装置２、画像処理システム１の例で説明したが、本発明はこれに限定されるものではなく、様々な処理を行う各種の装置に本発明の処理装置、処理システムを適用することができる。
【図面の簡単な説明】
【００６１】
【図１】本発明の実施の形態１にかかる画像処理装置の電気的な接続のブロック図である。
【図２】本発明の実施の形態１にかかる画像処理装置が実行する処理を説明するフローチャートである。
【図３】本発明の実施の形態１にかかる画像処理装置の操作パネルのタッチパネルの平面図である。
【図４】本発明の実施の形態１にかかる画像処理装置の操作パネルのタッチパネルの平面図である。
【図５】本発明の実施の形態１にかかる画像処理装置の操作パネルのタッチパネルの平面図である。
【図６】本発明の実施の形態１にかかる画像処理装置が実行する処理の他の例を示すフローチャートである。
【図７】本発明の実施の形態２にかかる画像処理システムの全体構成を示すブロック図である。
【図８】本発明の実施の形態２にかかる画像処理システムが実行する処理のフローチャートである。
【図９】本発明の実施の形態２にかかる画像処理システムが実行する処理のフローチャートである。
【図１０】本発明の実施の形態２にかかる画像処理システムの操作パネルのタッチパネルの平面図である。
【図１１】本発明の実施の形態２にかかる画像処理システムの操作パネルのタッチパネルの平面図である。
【符号の説明】
【００６２】
１    画像処理システム
２    画像処理装置
【図１】
2010069667.tif 000003
【図２】
2010069667.tif 000004
【図３】
2010069667.tif 000005
【図４】
2010069667.tif 000006
【図５】
2010069667.tif 000007
【図６】
2010069667.tif 000008
【図７】
2010069667.tif 000009
【図８】
2010069667.tif 000010
【図９】
2010069667.tif 000011
【図１０】
2010069667.tif 000012
【図１１】
2010069667.tif 000013